(57)【要約】本発明は高圧蒸気釜、蒸気供給装置と圧縮機を含むポンプ式高圧蒸気システム及びその蒸気と圧力の供給方法を開示し、前記蒸気供給装置は貯水容器と前記貯水容器を加熱するための加熱装置を含み、前記貯水容器、圧縮機と高圧蒸気釜は管路によって閉鎖した循環経路に接続し、且つ圧縮機の入口が貯水容器の蒸気出力口に接続され、圧縮機の出口が高圧蒸気釜の蒸気入力口に接続し、高圧蒸気釜の凝縮水の排出口が貯水容器に接続する。本発明は、圧縮機を用いて中低温水源を減圧して蒸気を得て、且つそれを蒸発圧釜に汲み込み、凝縮して放熱し、対応する温度と圧力を得る。本発明は、自然界や工業、生活余熱における大量且つ安価に入手できる中低温熱源を十分に活用することで高圧蒸気システムに必要な高温、蒸気及び圧力を供給でき、それによりエネルギを節約する。【選択図】図１
2016515189.tif 000002
【特許請求の範囲】
【請求項１】
管路によって、高圧蒸気釜、圧縮機及び蒸気供給装置における貯水容器を閉鎖循環式の高圧蒸気システムに接続することと、
加熱装置によって貯水容器を加熱し、且つ圧縮機を利用して貯水容器を減圧して蒸気を得ると同時に、貯水容器内の蒸気を加圧して高圧蒸気釜内に汲み込むことと、
蒸気は高圧蒸気釜内で高圧蒸気養生材料に作用して凝縮して放熱し、凝縮水が貯水容器に還流して循環的に利用することを含むことを特徴とするポンプ式高圧蒸気システムにおける蒸気及び圧力の供給方法。
【請求項２】
高圧蒸気釜内に汲み込んだ流体における空気と蒸気の比率を制御することにより、高圧蒸気釜内の温度を調整することを特徴とする請求項１に記載の方法。
【請求項３】
高圧蒸気釜内に汲み込んだ流体の流速を制御することにより、高圧蒸気釜内の圧力を調整することを特徴とする請求項１に記載の方法。
【請求項４】
高圧蒸気釜と、
前記高圧蒸気釜に管路によって密閉した循環経路に接続する貯水容器と前記貯水容器を加熱するための加熱装置とを含む蒸気供給装置と、を含み、
さらに入口が前記貯水容器の蒸気出力口に接続され、出口が前記高圧蒸気釜の蒸気入力口に接続し、前記高圧蒸気釜の凝縮水の排出口が前記貯水容器に接続する圧縮機と、を含むことを特徴とするポンプ式高圧蒸気システム。
【請求項５】
前記圧縮機の入口に切換弁が設けられ、前記切換弁の第一入口が第一管路によって前記貯水容器に接続し、前記切換弁の第二入口が大気に接続することを特徴とする請求項４に記載のポンプ式高圧蒸気システム。
【請求項６】
前記圧縮機の出口が第二管路によって前記高圧蒸気釜の蒸気入口に接続し、前記第二管路に流量制御弁が設けられることを特徴とする請求項４に記載のポンプ式高圧蒸気システム。
【請求項７】
前記加熱装置が太陽エネルギ、地中熱エネルギ、水熱エネルギ、空気熱エネルギ又は工業、生活余熱をエネルギとして用いることを特徴とする請求項４に記載のポンプ式高圧蒸気システム。
【請求項８】
前記凝縮水の排出口が第三管路によって水槽に接続し、前記水槽の底部に汚水排出管が設けられ、前記貯水容器が第四管路によって前記水槽の上部に接続することを特徴とする請求項４に記載のポンプ式高圧蒸気システム。
【請求項９】
前記高圧蒸気釜に前記高圧蒸気釜内の最高圧力を制御するための安全弁が設けられることを特徴とする請求項４に記載のポンプ式高圧蒸気システム。
【請求項１０】
さらに前記貯水容器に水を補給するための水補給管が設けられることを特徴とする請求項４に記載のポンプ式高圧蒸気システム。
【発明の詳細な説明】
【技術分野】
【０００１】
本発明は高圧蒸気システムに関し、具体的にはポンプ式高圧蒸気システム及びその蒸気と圧力の供給方法に関するものである。
【背景技術】
【０００２】
高圧蒸気システムは主に高圧蒸気釜、蒸気供給装置及び安全制御装置からなる。その用途は非常に広く、気泡コンクリートブロック、石炭灰煉瓦、微細孔ケイ酸カルシウム板、新規軽量壁材、絶縁アスベスト基板、高強度プラスター等の建材の高圧蒸気養生に大量適用し、高圧蒸気釜内でＣａＯ−Ｓｉ０２−Ｈ２Ｏの水熱反応を完成する。同時にさらにゴム製品、木材乾燥及び防腐処理、重金属製錬、耐火煉瓦注油浸炭、複合ガラス蒸気養生、化学繊維製品の高圧処理、食品缶詰の高温高圧処理、パルプ蒸解、ケーブル加硫、魚網成形及び化学、製薬、航空宇宙産業、保温材、織物工業、軍需産業などの圧力蒸気養生生産プロセスを必要とする生産項目に広く適用する。
【０００３】
従来構造の高圧蒸気システムについては、蒸気供給装置の動作原理はボイラ蒸解法であり、すなわち水を加熱することで膨張する水蒸気を得て高圧蒸気釜に蒸気及び圧力を供給する。この膨張加圧の過程は大量のエネルギを消費する。
【発明の概要】
【発明が解決しようとする課題】
【０００４】
本発明は高圧蒸気システムにおいてボイラ蒸解法を用いて蒸気及び圧力を供給するためエネルギ消費量が大きく大気汚染を引き起こすという問題を解決することを課題とする。
【課題を解決するための手段】
【０００５】
上記課題を解決するために、本発明は、
管路によって高圧蒸気釜、圧縮機及び蒸気供給装置の貯水容器を閉鎖循環式の高圧蒸気システムに接続すること、
加熱装置によって貯水容器を加熱し、且つ圧縮機を利用して貯水容器を減圧して蒸気を得ると同時に、貯水容器内の蒸気を加圧して高圧蒸気釜内に汲み込むこと、
蒸気は高圧蒸気釜内で高圧蒸気養生材料に作用して凝縮して放熱し、凝縮水が貯水容器に還流して循環的に利用すること、を含むポンプ式高圧蒸気システムにおける蒸気及び圧力の供給方法を提供する。
【０００６】
上記方法では、高圧蒸気釜内に汲み込んだ流体における空気と蒸気の比率を制御することにより、高圧蒸気釜内の温度を調整する。
【０００７】
上記方法では、高圧蒸気釜内に汲み込んだ流体の流速を制御することにより、高圧蒸気釜内の圧力を調整する。
【０００８】
本発明は高圧蒸気釜及び前記高圧蒸気釜と管路によって閉鎖した循環経路に接続する貯水容器と、前記貯水容器を加熱するための加熱装置とを含む蒸気供給装置を含み、さらに入口が前記貯水容器に接続し、出口が前記高圧蒸気釜の蒸気入口に接続し、前記高圧蒸気釜の凝縮水の排出口が前記貯水容器に接続する圧縮機を含むポンプ式高圧蒸気システムをさらに提供する。
【０００９】
上記ポンプ式高圧蒸気システムにおいて、前記圧縮機の入口に切換弁が設けられ、前記切換弁の第一入口は第一管路によって前記貯水容器に接続し、前記切換弁の第二入口は大気に接続する。
【００１０】
上記ポンプ式高圧蒸気システムにおいて、前記圧縮機の出口は第二管路によって前記高圧蒸気釜の蒸気入口に接続し、前記第二管路に流量制御弁が設けられる。
【００１１】
上記ポンプ式高圧蒸気システムにおいて、前記加熱装置は太陽エネルギ、地中熱エネルギ、水熱エネルギ、空気熱エネルギ又は工業、生活余熱をエネルギとして用いる。
【００１２】
上記ポンプ式高圧蒸気システムにおいて、前記凝縮水の排出口は第三管路によって水槽に接続し、前記水槽の底部に汚水排出管が設けられ、前記貯水容器は第四管路によって前記水槽の上部に接続する。
【００１３】
上記ポンプ式高圧蒸気システムにおいて、前記高圧蒸気釜に安全弁が設けられ、前記高圧蒸気釜内の最高圧力を制御するために用いられる。
【００１４】
上記ポンプ式高圧蒸気システムにおいて、さらに水補給管が設けられ、前記貯水容器に水を補給するために用いられる。
【００１５】
本発明は、圧縮機を用いて中低温水源を減圧して蒸気を得て、且つそれを高圧蒸気釜に汲み込み、凝縮して放熱し、対応する温度と圧力を得る。本発明は自然界や工業、生活余熱における大量且つ安価に入手できる中低温熱源を十分に活用することで高圧蒸気システムに必要な高温、蒸気及び圧力を供給できるため、これによりエネルギを節約する。
【図面の簡単な説明】
【００１６】
【図１】本発明のポンプ式高圧蒸気システム構成を示す図である。
【発明を実施するための形態】
【００１７】
本発明はポンプ式高圧蒸気システム及びその蒸気と圧力の供給方法を提供し、該技術的解決手段において、管路によって高圧蒸気釜、圧縮機及び蒸気供給装置における貯水容器を閉鎖した循環経路に接続し、さらに閉鎖した循環システムを形成し、圧縮機を利用して貯水容器を減圧して蒸気を得ると同時に、蒸気を加圧して高圧蒸気釜内に汲み込み、高圧蒸気釜に蒸気と圧力を供給する。本発明は自然界や工業、生活余熱における大量且つ安価に入手できる中低温熱源を十分に活用することで高圧蒸気システムに必要な高温、蒸気及び圧力を供給できるため、これによりエネルギを節約する。以下、具体的な実施例及び添付の図面を参照して本発明を詳細に説明する。
【００１８】
図１に示すように、本発明のポンプ式高圧蒸気システムは、高圧蒸気釜１０、貯水容器２１と貯水容器２１を加熱するための加熱装置２２とを含む蒸気供給装置及び圧縮機３０を含む。そのうち高圧蒸気釜１０、貯水容器２１と圧縮機３０は管路によって密閉した循環経路システムに接続し、加熱装置２２は通常の燃料、電気エネルギ又は太陽エネルギ、地中熱エネルギ、水熱エネルギ、空気熱エネルギ等の自然界熱エネルギ又は工業、生活余熱等を用いることができる。
【００１９】
圧縮機３０の入口に切換弁３１が設けられ、切換弁３１の出口が圧縮機３０の入口に接続され、切換弁３１の第一入口が第一管路３２によって貯水容器２１に接続され、切換弁３１の第二入口が外気と連通し、圧縮機３０の出口が第二管路３３によって高圧蒸気釜１０の蒸気入口に接続し、第二管路３３に流量制御弁３４が設けられる。高圧蒸気釜１０内に温度センサ１１及び圧力センサ２２が設けられ、温度センサ１１及び圧力センサ１２が高圧蒸気釜１０の内部温度と圧力を持続的に検出し、温度センサ１１と圧力センサ１２の検出信号に基づき、切換弁３１及び流量制御弁３４によって高圧蒸気釜１０内の温度及び圧力を調整することができる。切換弁３１によって選択的に圧縮機３０を貯水容器２１に連通させ又は直接大気に連通させることができ、これにより高圧蒸気釜１０に蒸気又は空気を選択的に送出し、流量制御弁３４によって第二管路３４内の流体の流速を制御できる。高圧蒸気釜１０の凝縮水排出口が第三管路４１によって水槽４０に接続し、水槽４０の底部に汚水排出管４２が設けられ、汚水排出管４２に開閉弁４３が設けられ、貯水容器２１が第四管路４４によって水槽４０の上部に接続する。水槽４０の作用は凝縮水の不純物を沈殿することである。本発明はさらに水補給管２３を設け、装置運転中に消費される水分を補充し、水補給管２３を貯水容器２１に設置することができる。
【００２０】
圧縮機３０はまたインバータ圧縮機を用いて流体の流量と圧力を制御することができる。
【００２１】
本発明の動作原理については、以下のとおりである。
【００２２】
（１）圧縮機を利用して貯水容器を減圧し、さらに加熱装置によって貯水容器を加熱し、これにより蒸気を得て、貯水容器の内部が負圧状態であるため、従って、水の沸点が大幅に低下し、これにより中低温の熱源を利用し、少ないエネルギで蒸気を迅速に得ることができる。
【００２３】
（２）蒸気は圧縮機によって高圧蒸気釜内に汲み込み、且つ高圧蒸気釜内で反応に参与し、凝縮して放熱し、熱量含有の凝縮水が貯水容器内に還流して継続的に循環に参与し、放熱を継続し、凝縮水に多量の熱を担持するため、従って、再び生成する蒸気に必要なエネルギが小さく、エネルギ利用率が高い。
【００２４】
本発明は自然界や工業、生活余熱における大量且つ安価に入手できる中低温熱源を十分に活用することで高圧蒸気システムに必要な高温、蒸気及び圧力を供給できるため、これによりエネルギを節約する。
【００２５】
また、本発明は完備な保護制御装置を提供し、具体的には、以下のとおりである。
【００２６】
（１）高圧蒸気釜１０内部の温度が設定値より低い場合、切換弁３１を貯水容器２１に連通するように切り換え、そこで貯水容器２１内の蒸気が高圧蒸気釜１０に連続的に進入し、高圧蒸気釜１０内の温度が上昇する。
【００２７】
（２）高圧蒸気釜１０内部の温度が設定値より高い場合、切換弁３１を大気に連通するように切り換え、そこで圧縮機３０は高圧蒸気釜１０に空気を送出するが蒸気を送出せず、そこで高圧蒸気釜１０内の温度が上昇しない。
【００２８】
（３）高圧蒸気釜１０内部の圧力が設定値より低い場合、流量制御弁３４の開度を増大し、高圧蒸気釜１０の吸気量を増加させ、これにより高圧蒸気釜１０内の圧力を向上させる。
【００２９】
（４）高圧蒸気釜１０内部の圧力が設定値より高い場合、流量制御弁３４の開度を減少し、高圧蒸気釜１０の吸気量を減少させ、これにより高圧蒸気釜１０内の圧力を低下させる。
【００３０】
上記切換弁３１と流量制御弁３４は制御ユニットによって自動的に制御し、すなわち、温度センサ１１と圧力センサ１２は連続的に高圧蒸気釜１０内部の温度と圧力を制御ユニットに送信し、制御ユニットは高圧蒸気釜１０内部の温度と圧力に基づいて対応する制御信号を切換弁３１と流量制御弁３４に出力する。
【００３１】
高圧蒸気釜１０にさらに減圧弁１３が設けられ、高圧蒸気釜１０内部の圧力が瞬時に増大する際に、減圧弁１３が自動的に開き、高圧蒸気釜１０内の蒸気を排出して高圧蒸気釜１０の安全運転を確保する。
【００３２】
なお、減圧弁１３は、さらに制御ユニットによって自動的に制御し、高圧蒸気釜１０内の温度又は圧力が一定時間（例えば２分間、ユーザは必要に応じて設定できる）内で常時設定値を超えると、制御ユニットから制御信号を発し、減圧弁１３を開き、高圧蒸気釜１０内のガス蒸気を排出し、高圧蒸気釜１０内の温度及び圧力を低下させるという目的を達成し、さらに高圧蒸気釜１０の安全運転を確保する。
【００３３】
上記ポンプ式高圧蒸気システムの説明により、本発明はさらにポンプ式高圧蒸気システムにおける蒸気及び圧力の供給方法を提供する。
【００３４】
管路によって高圧蒸気釜、圧縮機及び蒸気供給装置における貯水容器を閉鎖循環式の高圧蒸気システムに接続する。
【００３５】
加熱装置によって貯水容器を加熱し、且つ圧縮機を利用して貯水容器を減圧して蒸気を得ると同時に、貯水容器内の蒸気を加圧して高圧蒸気釜内に汲み込む。
【００３６】
蒸気は高圧蒸気釜内で高圧蒸気養生材料に作用して凝縮して放熱し、凝縮水が貯水容器に還流して循環的に利用する。
【００３７】
上記方法では、高圧蒸気釜内に汲み込んだ流体における空気と蒸気の比率を制御することにより、高圧蒸気釜内の温度を調整する。高圧蒸気釜内に汲み込んだ流体の流速を制御することにより、高圧蒸気釜内の圧力を調整する。
【００３８】
以上説明したように、本発明のポンプ式高圧蒸気システム及びその高温蒸気と圧力の供給方法は、投入が低く、省エネルギで、経済的で、環境に優しいという特徴により実用性に優れる。従来のボイラ蒸解式方法に比べ、以下の顕著な利点を有する。
【００３９】
（１）ヒートポンプシステムの内部環境利用を創造的に開始し、高圧蒸気釜内部をヒートポンプシステムの凝縮部とし、ヒートポンプシステムの内部環境で高圧蒸気釜に必要な温度と圧力を得る。この過程で、ヒートポンプシステムの内部環境における冷媒（水／水蒸気）と被作用物質（製品）が直接接触し、熱伝達又は化学反応を行い、効率を大幅に向上させる。
【００４０】
（２）本発明は蒸気を獲得し且つ高圧蒸気分野に応用する方法を提供する。従来のボイラ蒸解法は水を加熱することで膨張する水蒸気を得て高圧蒸気釜に蒸気と圧力を供給し、該膨張加圧の過程が多量のエネルギを消費する。一方、本発明は圧縮機を用いて低温水源を減圧して蒸気を得て、且つそれを高圧蒸気釜内に汲み込み、凝縮して放熱し、対応する温度と圧力を得る。自然界や工業、生活余熱における大量且つ安価に入手できる中低温熱源を十分に活用することで高圧蒸気システムに必要な高温、蒸気及び圧力を供給し、これによりエネルギを節約する。
【００４１】
（３）従来のボイラ蒸解法から供給された温度と圧力とは相乗的で、温度や圧力の一方の条件を正確で迅速に単独で調整しにくい。一方、本発明の提供する手段は、必要に応じて温度や圧力のいずれの条件も個別に調整することができる。
【００４２】
本発明は上記最適実施形態に限定されるものではなく、だれでも、本発明の趣旨を逸脱しない範囲での種々な変形ができ、本発明と同一又は相当する技術的解決手段はすべて、本発明の範囲に属することが明らかである。
【図１】
2016515189.tif 000003
【国際調査報告】
2016515189.tif 000004
2016515189.tif 000005
2016515189.tif 000006
2016515189.tif 000007